(57)【要約】【課題】既製のキャビネット等に、その型式や大きさ等を選択するととなく適用でき、その側面に装着すれば、転倒防止機構を簡単、キャビネット９と隣接して、見栄えもよく付設することができる転倒防止機構を実現する。【解決手段】アーム２８は、その上端が筺体フレーム２に枢着されており、その下端が転倒防止杆３０に枢軸により枢着されており、転倒防止杆３０には、ガイド用の長孔３３が形成されているとともに係止ピン３９が付設されており、ガイド用の長孔３３は、筺体フレーム２に固定されたガイドピン３４が挿通されており、転倒防止杆３０を筺体フレーム２内に係止しているが、振動検出スイッチ３が閉じると係止機構機構の係止を解除し、転倒防止杆３０は、ガイドピン３４を中心に回動筺体フレーム２の開口から前方に突出する【選択図】図２
2006158655.tif 000002
【特許請求の範囲】
【請求項１】
筺体フレームと、該筺体フレームの内に設けられた振動検出スイッチと、該筺体フレームの内に設けられアームと振動検出スイッチが閉じられると前方に突出する転倒防止杆とを備え、転倒を防止すべき対象物の側面に取り付けられる転倒防止装置であって、
前記筺体フレームは、左右側壁、背壁及び前壁を備え、前壁は前記筺体フレームの上下方向の上半部にのみ配設されており、下半部の正面は開口されており、
前記アームは、その上端が前記筺体フレームに枢着されており、その下端が転倒防止杆に枢軸により枢着されており、
前記転倒防止杆には、ガイド用の長孔が形成されているとともに係止ピンが付設されており、前記ガイド用の長孔は、前記筺体フレームに固定されたガイドピンが挿通されており、前記転倒防止杆は、前記開口から前方に突出可能な方向に該ガイドピンを中心に回動するように常時、付勢されており、
前記転倒防止杆を筺体フレーム内に係止し、前記振動検出スイッチが閉じると前記係止を解除する係止機構機構を設けたことを特徴とする転倒防止装置。
【請求項２】
前記転倒防止杆をガイドピンを中心に回動するよう常時付勢する手段は、前記枢軸に一端が取り付けられたワイヤと、該ワイヤの他端に取り付けられた重錘、前記筺体フレームに取り付けられたスプリング又は前記筺体フレームに取り付けられたダンパとから成ることを特徴とする請求項１記載の転倒防止装置。
【請求項３】
前記係止機構は、前記転倒防止杆にもうけられた係止ピンと、該係止ピンを係合する係合凹部を有する係合片から構成され、
前記係合片は、係止ピンを係合する方向に回動付勢され、前記振動検出スイッチが閉じると前記付勢方向と反対方向に駆動されて係止ピンの係合を解除する構成であることを特徴とする請求項１又は２記載の転倒防止装置。
【請求項４】
筺体フレームと、該筺体フレームの内に設けられた振動検出スイッチと、該筺体フレームの下端に設けられアームと振動検出スイッチが閉じられると前方に突出する転倒防止台とを備え、転倒を防止すべき対象物の側面に取り付けられる転倒防止装置であって、
前記筺体フレームは、左右側壁、背壁及び前壁を備え、前壁の下端は開口されており、
前記転倒防止台の背面側の部分にワイヤの一端が取り付けられており、
前記ワイヤは、前記転倒防止台に沿って前面側に延び、プーリーでガイドされて、他端に前記ワイヤを常時下方に引っ張って付勢する手段が取り付けられており、前記付勢する手段により、前記転倒防止台は常時は前方に突出する方向に付勢されており、
前記転倒防止台を筺体フレーム内に係止し、前記振動検出スイッチが閉じると前記係止を解除する係止機構機構を設けたことを特徴とする転倒防止装置。
【請求項５】
前記ワイヤを常時下方に引っ張って付勢する手段は、重錘、前記筺体フレームに取り付けられたスプリング又は前記筺体フレームに取り付けられたダンパであることを特徴とする請求項４記載の転倒防止装置。
【発明の詳細な説明】
【技術分野】
【０００１】
この発明は、大きな震度の地震が発生した際に生じるキャビネット、ロッカー、家具等の転倒による危険を防止するための転倒防止装置に関する。
【背景技術】
【０００２】
従来、地震の際にキャビネット等の転倒を防止する手段としていろいろな機器類が開発されている。例えば、キャビネットを建家の壁等の構造物に固定したり、突っ張り部材を装着する転倒防止用の金具は知られている（特許文献１、２、３参照）。
【０００３】
家具を載置する受け台に伸縮脚を設ける構成も公知である（特許文献４、５参照）。さらに、収納什器自体に支持脚を備えた構成も公知である（特許文献６参照）。また、家具類の側面にサポート部材を設ける構成も公知である（特許文献７参照）。
【特許文献１】特開平１１−０７５９７５号公報
【特許文献２】特開平８−２４２９５５号公報
【特許文献３】特開平９−０８４６４８号公報
【特許文献４】特開平９−０７５１５９号公報
【特許文献５】特開平１０−２７６８４７号公報
【特許文献６】特開平１１−１０３９５９号公報
【特許文献７】特開平９−０７０３２８号公報
【発明の開示】
【発明が解決しようとする課題】
【０００４】
上記従来の技術のうち、特許文献１〜３に開示されている建家との家具類との間に取り付けられる金具などは、建家の構造物にネジ孔を設けたり工作をしなくてはならず、また建家の構造物と離れている場合は金具などを取り付けにくいという問題がある。また、金具自体が、地震の際に振動等の力で構造物からはずれてしまうという問題も懸念される。  
【０００５】
特許文献４、５に開示されている家具を載置する受け台に伸縮脚を設けるものでは、家具の底面積に合わせて受け台を製造しなくてはならず、汎用性という点では制限があるという問題がある。特許文献６に開示されている収納什器自体に支持脚を備えた構成であると、収納什器自体が複雑な構成となり、これも汎用性という点では問題である。
【０００６】
さらに、特許文献７のように家具類の側面にサポート部材を設ける構成であると、家具類に直に取付の工作をしなくてはならず、又、見栄えからしても好ましくない。
【０００７】
本発明は、上記従来の問題点を解決することを目的とするものであり、次の点を課題とする。
（１）キャビネット等が転倒するような地震発生の際に、それを確実に検出して、転倒防止を素早く、確実に動作する転倒防止機構を実現する。
（２）既製のキャビネット等に、その型式や大きさ等を選択するととなく適用でき、その側面に装着すれば、転倒防止機構を簡単、キャビネットと隣接して、見栄えもよく付設することができる転倒防止機構を実現する。
【課題を解決するための手段】
【０００８】
本発明は上記課題を解決するために、筺体フレームと、該筺体フレームの内に設けられた振動検出スイッチと、該筺体フレームの内に設けられアームと振動検出スイッチが閉じられると前方に突出する転倒防止杆とを備え、転倒を防止すべき対象物の側面に取り付けられる転倒防止装置であって、前記筺体フレームは、左右側壁、背壁及び前壁を備え、前壁は前記筺体フレームの上下方向の上半部にのみ配設されており、下半部の正面は開口されており、前記アームは、その上端が前記筺体フレームに枢着されており、その下端が転倒防止杆に枢軸により枢着されており、前記転倒防止杆には、ガイド用の長孔が形成されているとともに係止ピンが付設されており、前記ガイド用の長孔は、前記筺体フレームに固定されたガイドピンが挿通されており、前記転倒防止杆は、前記開口から前方に突出可能な方向に該ガイドピンを中心に回動するように常時、付勢されており、前記転倒防止杆を筺体フレーム内に係止し、前記振動検出スイッチが閉じると前記係止を解除する係止機構機構を設けたことを特徴とする転倒防止装置を提供する。
【０００９】
前記転倒防止杆をガイドピンを中心に回動するよう常時付勢する手段は、前記枢軸に一端が取り付けられたワイヤと、該ワイヤの他端に取り付けられた重錘、前記筺体フレームに取り付けられたスプリング又は前記筺体フレームに取り付けられたダンパとから成る構成としてもよい。
【００１０】
前記係止機構は、前記転倒防止杆にもうけられた係止ピンと、該係止ピンを係合する係合凹部を有する係合片から構成され、前記係合片は、係止ピンを係合する方向に回動付勢され、前記振動検出スイッチが閉じると前記付勢方向と反対方向に駆動されて係止ピンの係合を解除する構成としてもよい。
【００１１】
本発明は上記課題を解決するために、筺体フレームと、該筺体フレームの内に設けられた振動検出スイッチと、該筺体フレームの下端に設けられアームと振動検出スイッチが閉じられると前方に突出する転倒防止台とを備え、転倒を防止すべき対象物の側面に取り付けられる転倒防止装置であって、前記筺体フレームは、左右側壁、背壁及び前壁を備え、前壁の下端は開口されており、前記転倒防止台の背面側の部分にワイヤの一端が取り付けられており、前記ワイヤは、前記転倒防止台に沿って前面側に延び、プーリーでガイドされて、他端に前記ワイヤを常時下方に引っ張って付勢する手段が取り付けられており、前記付勢する手段により、前記転倒防止台は常時は前方に突出する方向に付勢されており、前記転倒防止台を筺体フレーム内に係止し、前記振動検出スイッチが閉じると前記係止を解除する係止機構機構を設けたことを特徴とする転倒防止装置を提供する。
【００１２】
前記ワイヤを常時下方に引っ張って付勢する手段は、重錘、前記筺体フレームに取り付けられたスプリング又は前記筺体フレームに取り付けられたダンパである構成としてもよい。
【発明の効果】
【００１３】
以上の構成から成る本発明に係る転倒防止装置によると、次の効果が生じる。
（１）既製のキャビネット等に、その型式や大きさ等を選択することなく簡単かつ、転倒機構がむき出しになることなく、見栄えもよく付設することができるので、既製のキャビネットへの適用等の汎用性にきわめてすぐれている。
（２）振動検出スイッチにより、キャビネット等が転倒する規模の地震の発生を的確に検出し、その直後、素早く転倒防止機構が動作し、転倒防止杆又は転倒防止台で確実に転倒を防止することができる。
（３）転倒状態となった転倒防止機構を利用者は、簡単に通常の状態にセットすることができる。
【発明を実施するための最良の形態】
【００１４】
本発明に係る転倒防止装置を実施するための最良の形態を実施例に基づいて図面を参照して説明する。
【実施例１】
【００１５】
図１は、本発明に係る転倒防止装置の実施例１の全体構成を示す図である。（ａ）は正面図、（ｂ）はＡ−Ａから見た側面図、（ｃ）は（ｂ）のＢ−Ｂ断面図を夫々示す図である。図２（ａ）は、転倒防止装置が動作した状態を示す図である。
【００１６】
実施例１の転倒防止装置１は、薄型キャビネット状の筺体フレーム２と、予め設定された振動の大きさ以上となると閉じる振動検出スイッチ３と、振動検出スイッチ３が閉じると作動する転倒防止機構４とから主に構成される。
【００１７】
薄型キャビネット状の筺体フレーム２は、左右の側壁５、背壁６、頂壁７及び前壁８とから構成されており、転倒防止を行うべき対象となるキャビネット（図１（ａ）中、想像線９で示す）、ロッカー、家具、書庫等（以下、「キャビネット等」という。）の側面に取り付けられるものである。筺体フレーム２の奥行は、転倒防止を行うべきキャビネット９等の奥行とほぼ同じ又はそれより小さく形成する。
【００１８】
この実施例１の筺体フレーム２の特徴は、前壁８は、図１に示すように、筺体フレーム２の頂部（上端）から下端まで設けられることなく、上半部（頂部から筺体フレーム２の上下方向のほぼ中程）まで設けられている。要するに、筺体フレーム２の正面の略下半部は開口部１０として開口されている構成となっている。
【００１９】
（振動検出スイッチ）
振動検出スイッチ３及び転倒防止機構４は、薄型キャビネット状の筺体フレーム２に内蔵されるものであり、具体的には、振動検出スイッチ３は、筺体フレーム２の前壁８に取り付けられている。振動検出スイッチ３は、地震によってキャビネット等の転倒が発生する可能性のある強い振動状態を検出するとスイッチが入る（スイッチが閉じる）ものである。
【００２０】
図３は、振動検出スイッチ３の構造を示す図である。振動検出スイッチ３は、水平断面が略凹型で左右に取付フランジ１１を有するボックス１２を備えている。このボックス１２内の上部に、絶縁材で形成された上部水平支持板１３がブラケット１４で固定されている。上部水平支持板１３に上部電極１５が下方に突出するように貫通して設けられており、さらに、上部水平支持板１３の上面には、上部電極１５に導電板１６により電気的に結合された上部端子１７が設けられている。
【００２１】
ボックス１２内の仕切壁１２’で仕切られた下部には、絶縁材で形成されたドーナッツ状の下部水平支持板１８がブラケット１９で固定されている。この下部水平支持板１８の上面には、略円筒状をした下部電極２０が取り付けられている。下部電極２０の上端には導電性の材料で形成された固定接触子２１が設けられている。さらに、下部水平支持板１８の上面において下部電極２０のフランジ部２１’と電気的に結合する下部端子２２が設けられている。
【００２２】
上部電極１５の下端には、導電性の材料で形成されたコイルバネ２３の上端が取り付けられている。コイルバネ２３の下端には、導電性の材料で形成された可動接触子２４が取り付けられいている。可動接触子２４は、平板部２５と錘部２６とから一体的に形成されている。
【００２３】
なお、本実施例では、錘部２６はコイルバネ２３の下端に振り子状に自由に吊持されているが、錘部２６の下部とボックス１２の底部との間に、適度な弾性を有する振れ止め用のバネ（例．引っ張りコイルバネ、板バネ、リーフバネ等）を絶縁材を介して装着する構成としてもよい。例えば、図７の実施例１の変形例に示すように、振れ止め用の引っ張りコイルバネ６８の一端を錘部２６の下部に取付け、他端をボックス１２の底部に絶縁材を介して取り付ける構成としてもよい。このようにバネを取り付ける構成とすると、弱い地震でも錘部２６が大きく振れるようなことが防止でき、弱い地震で転倒防止杆３０が前方に突出するような誤作動が防止できる。
【００２４】
可動接触子２４の平板部２５は、固定接触子２１に対して上下方向に所定の寸法の隙間ｇをあけて対面するように、コイルバネ２３で吊持されて配置されている。そして、可動接触子２４の錘部２６は、下部電極２０の内側に通常は接触しない状態で配置されている。即ち、可動接触子２４の錘部２６は、固定接触子２１に対して径方向に所定の寸法の隙間ｄをおいて、その内側にコイルバネ２３で吊持されて配置されている。
【００２５】
このような構造の可動接触子２４と固定接触子２１は、スイッチを構成しており、大きな地震が発生した場合は、可動接触子２４が上下方向及び水平方向に揺れて、固定接触子２１に接触した場合は、電流が、上部端子１７、導電板１６、上部電極１５、コイルバネ２３、可動接触子２４、固定接触子２１、下部電極２０及び下部端子２２を通して電流が流れる、即ち、スイッチが閉じた状態となる。
【００２６】
この振動検出スイッチ３は、前述のとおり、地震によってキャビネット９等の転倒が発生する可能性のある強い振動状態を検出するとスイッチが閉じるものである。この場合に、スイッチの閉じる振動状態に対応するように、振動検出スイッチ３を予め設定しておく必要がある。
【００２７】
具体的には、コイルバネ２３の弾性力（前述のとおり、錘部２６の下部とボックス１２の底部との間に振れ止め用のバネを取り付けた場合はそのバネの弾性力も含めて）、錘部２６の重量、可動接触子２４と固定接触子２１の隙間の寸法を調整する。可動接触子２４と固定接触子２１の隙間寸法としては、上部電極１５の上部水平支持板１３に対する上下方向の取付位置をナットで調整して、固定接触子２１と平板部２５との間の隙間ｇの寸法を設定する。また、固定接触子２１の内径及び錘部２６の径方向の大きさを適宜、設計して製造することで、隙間ｄの寸法を設定するすることである。
【００２８】
（転倒防止機構）
図１及び図２（ａ）において、転倒防止機構４は、上端部が筺体フレーム２の側壁５に枢軸２７により枢着された（回転可能に取り付けられた）アーム２８と、このアーム２８の下端部に枢軸２９で枢着された転倒防止杆３０を備えている。転倒防止杆３０は、左右側板３１及び前面板３２から成り、その断面は、背面側（筺体フレーム２の手前とは反対側、即ち奥側）が開口したコの字型である。アーム２８の下端部は、左右側板３１の間に背面側から挿入され、転倒防止杆３０の上端から一定の長さだけ下方の位置で枢軸２９により左右側板に枢着されている。
【００２９】
転倒防止杆３０の左右側板３１に、転倒防止杆３０の長手方向に延びるガイド用の長孔３３が形成されており、この長孔３３にはガイドピン３４が貫通して設けられている。このガイドピン３４は、筺体フレーム２の左右側壁５に固定されている。
【００３０】
なお、実施例１では、長孔３３は直線的な長孔３３としたが、長孔の構成はこのような構成に限定されるものではない。例えば、実施例１の別の変形例として、図２（ｂ）、（ｃ）に拡大図として示すが、長孔を全体としてＬ型のものとしてもよい。即ち、長孔３３の上端に、前方に向けてロック用の凹所６６を形成した、全体がＬ型の長孔６７の構成としてもよい。
【００３１】
このような長孔６７の構成にすると、図２（ｃ）に示すように、転倒防止杆３０が前方に突出した際に（実施例１では図２（ａ）の状態に対応する。）、ガイドピン３４がロック用の凹所６６に入り込んで係合するから、転倒防止杆３０が前方に突出した状態を確実に保持することができる。
【００３２】
転倒防止杆３０の前面には、ハンドル３５が設けられている。このハンドル３５は、利用者が把持して転倒防止杆３０を、後述するが、筺体フレーム２内に押し込んで通常の状態にセットする操作の際に使用するものである。
【００３３】
ハンドル３５の下方には筺体フレーム２の前壁８と同じ幅の化粧板３６（前壁８と同じ材料でも同じ外観を有する板でもよいし、異なった材料から成る板でもよい。）が付設されている。このようにすると、筺体フレーム２を正面から見た場合、開口１０の位置に化粧板３６がきて、化粧板３６と前壁８と同じ材料で形成した場合は、ハンドル３５の部分を除いて、その上下は、同じように見えて見栄えがよくなる。
【００３４】
なお、このような化粧板３６のさらに上面に、或いは転倒防止杆３０の直接前面にゴム、スポンジ、合成樹脂等のクッション材を付設する構成としてもよい。このように、クッション材を付設すると、転倒防止杆３０が突如作動し、前方に突出して利用者に衝突しても、利用者が怪我しないという効果が生じる。
【００３５】
転倒防止杆３０の左右側板３１の下端には、軸受を介して回転可能に支持された転動輪３７が配置されている。さらに、転倒防止杆３０の左右側板３１の下端の背面側には定置用の傾斜面３８が形成されている。この傾斜面３８のやや上方には、転倒防止杆３０の左右側板３１の間に係止ピン３９が架設されている。
【００３６】
アーム２８と転倒防止杆３０を互いに枢着する枢軸２９には、ワイヤ４０の上端が取り付けられている。このワイヤ４０は、筺体フレーム２の背面側において左右の側壁５の間に回転可能に設けられたプーリ４１にガイドされ、背面側の下方に延び、その下端に重錘４２が吊り下げられている。
【００３７】
この重錘４２の重力の作用は、図１（ｂ）に示すように、アーム２８に対して、枢軸２７を中心として、時計針の回転方向とは反対方向に回転モーメントＭ１を付与しているとともに、転倒防止杆３０に対して、ガイドピン３４を中心に時計針の回転方向に回転モーメントＭ２を、常時、付与している。
【００３８】
なお、本実施例では、アーム２８及び転倒防止杆３０に回転モーメントを付与する付勢手段として、重錘４２をワイヤ４０の一端に取り付けたが、このような付勢手段は重錘に限らず、その他いろいろな付勢手段がある。
【００３９】
例えば、図示はしないが、ワイヤ４０の一端に、重錘の替わりにスプリング（例．引っ張りコイルスプリング等）の一端を取付け他端を筺体フレーム２の背壁６に固定し、このスプリングの付勢力を利用する構成としてもよい。
【００４０】
或いは、やはり図示はしないが、ワイヤ４０の一端に、重錘の替わりにワイヤ４０を下方に常時付勢するダンパ（例．ガスダンパ等）の一端を取付け他端を筺体フレーム２の背壁６に固定し、このダンパの付勢力を利用する構成としてもよい。
【００４１】
さらに、ワイヤ４０及び重錘４２を利用することなく、アーム２８と筺体フレーム２の背壁６の間に、アーム２８に図１（ｂ）に示すようなモーメントＭ１を付与する付勢手段を直接、装着する構成としもよい。この付勢手段としては、例えば、スプリング（例．引っ張りコイルスプリング等）、ダンパ（例．ガスダンパ等）等を利用すればよい。さらには、枢軸２７と筺体フレーム２の背壁６の間にぜんまいばね等を設け、アーム２８に図１（ｂ）に示すようなモーメントＭ１を付与する構成としてもよい。
【００４２】
このように転倒防止杆３０に対して、ガイドピン３４を中心に時計針の回転方向の回転モーメントＭ２が付与されていると、転倒防止杆３０は図２（ａ）に示すように、その下端が前方に突出してしまうが、係止ピン３９が、筺体フレーム２に付設された係合片４３によって係止されていることにより、転倒防止杆３０の回動が拘束され、図１（ｂ）に示す通常の状態になっている。
【００４３】
図４（ａ）〜（ｄ）は、係合片４３の構成、及び係合片４３と係止ピン３９の係合・解除の動作を行う係合機構５２を示す図である。係合片４３は、前面側にテーパ面４４を有し、このテーパ面４４に隣接して係合用の凹部４５が形成され、さらに背面側には突出部４６が形成されている。
【００４４】
この係合片４３は、筺体フレーム２の左右側壁５の間に軸４７により回動可能に設けられているとともに、軸４７と係合片４３の間に付設されたバネ４８により、通常時は、図４（ａ）に示すように、時計針の回転方向に付勢され、突出部４６が筺体フレーム２の左右側壁５の間に固定された停止ピン４９に当接して回転が停止状態にある。
【００４５】
係合片４３の前面側に電磁石５０の作動リンク５１が連結されている。この電磁石５０は、振動検出スイッチ３が閉じた際に流れる電流により、図４（ｂ）に示すように、作動リンク５１を動作させて係合片４３を時計針の回転方向と反対側にバネ４８の付勢力に抗して回転させ、係止ピン３９を係合用の凹部４５から解除して離脱可能とする。以上のとおり、転倒防止杆３０の係止ピン３９と筺体フレーム２に付設された係合片４３とから係合機構５２を構成している。
【００４６】
（作用）
以上の構成から成る実施例１の転倒防止装置１の作用を以下に説明する。転倒防止装置１は、その筺体フレーム２の側壁５を転倒防止すべきキャビネット９等の側面に固定しておく。通常時は、図１の状態にセットされている。地震その他の原因で振動が生じると、振動検出スイッチ３の可動接触子２４の錘部２６が上下方及び水平方向に揺れるが、その揺れが少ない場合は、可動接触子２４と固定接触子２１は接触しないので、振動検出スイッチ３は閉じることがない。
【００４７】
しかし、キャビネット９等が転倒する危険性のあるような大きな地震が発生した場合には、図３において、振動検出スイッチ３の可動接触子２４の錘部２６が上下及び水平方向に大きく揺れるために、可動接触子２４の平板部２５及び錘部２６の両方又はその一方が固定接触子２１に当接する。その結果、振動検出スイッチ３が閉じて、上部端子１７、導電板１６、上部電極１５、コイルバネ２３、可動接触子２４、固定接触子２１、下部電極２０及び下部端子２２を通して電流が流れる。
【００４８】
そして、図４（ｂ）に示すように、この電流が電磁石５０の作動リンク５１を電磁石５０内に引き込むように動作させて、係合片４３を時計針の回転方向と反対側にバネ４８の付勢力に抗して回転させ、係止ピン３９を係合用の凹部４５から離脱する。
【００４９】
すると、重錘４２の重力により、枢軸２７を中心として、時計針の回転方向とは反対方向にアーム２８に作用する回転モーメントＭ１、及びガイドピン３４を中心に時計針の回転方向に転倒防止杆３０に作用する回転モーメントＭ２によって、転倒防止杆３０は図２（ａ）に示すように、その下端が前方に突出する。
【００５０】
この場合、ガイドピン３４は筺体フレーム２に固定されているが、ガイド用の長孔３３に挿通されているために、転倒防止杆３０は、ガイド用の長孔３３がガイドピン３４に対して相対的に移動するようにして、移動する。
【００５１】
また、転倒防止杆３０の下端に転動輪３７が設けられているために、転動輪３７が床を転動して、転倒防止杆３０の下端が床５３につっかえることなく、スムースに移動して転倒防止杆３０の下端は前方に突出する。そして、図２（ａ）に示すように転倒防止杆３０の下端が前方に突出すると、転倒防止杆３０の下端の定置用の傾斜面３８が床５３に接触して定置する。
【００５２】
この結果、図２（ａ）に示すように、アーム２８と転倒防止杆３０は、一直線に突っ張った状態となり、キャビネット９等の支えとなって、キャビネット９等が前方に転倒することを防止することができる。なお、アーム２８は、転倒防止杆３０の上端側から一定長さだけ下方の位置で枢軸２９で枢着されているために、図２（ａ）の状態では、アーム２８は、転倒防止杆３０の上端側から一定長さだけ嵌入されているために、図２（ａ）の状態でも、一直線に突っ張った状態を維持することができる。
【００５３】
図２（ａ）の状態から図１の状態に戻す際には、利用者はハンドル３５を把持して、転倒防止杆３０をその下端の転動輪３７を床を転動させながら、背面側に押していく。すると、重錘４２の重力に抗して、枢軸２７を中心にアーム２８は時計針の回転方向に回動し、また、枢軸２９を中心に転倒防止杆３０をアーム２８に対して時計針の回転方向と反対方向に回転させることができる。この際、転倒防止杆３０のガイド用の長孔３３が、ガイドピン３４に対して長手方向に移動し、転倒防止杆３０を筺体フレーム２内に押し込むようにして、図１の状態に向けて戻す。
【００５４】
又、転倒防止杆３０を筺体フレーム２内に押し込むと、図４に示すように、係止ピン３９は係合片４３のテーパ面４４上に沿って移動し係合片４３を、バネ４８の付勢力に抗して時計針の回転方向と反対側に回転して、最終的に、図４（ｄ）に示すように、係止ピン３９を凹部４５に落ち込む。これにより、図１の通常状態にセットすることができる。
【実施例２】
【００５５】
図５は、本発明に係る転倒防止装置１の実施例２を説明する図であり、図５（ａ）は通常の状態であり、図５（ｂ）は地震等が発生した際に、転倒防止装置５４が動作した状態を示す。この実施例２は、実施例１と基本的には同じ構成であるが、その転倒防止機構５５が実施例１の転倒防止機構４と異なる。実施例１と相違する点を中心に、実施例２を以下に、説明する。
【００５６】
実施例２の転倒防止装置５４の転倒防止機構５５は、実施例１のようなアーム２８及び転倒防止杆３０は備えていないが、代わりに、筺体フレーム２の底部に、床面に沿って水平前方に可動な転倒防止台５６を設けた構成を特徴とする。この転倒防止台５６は、その前面側及び背面側に転動輪５７が設けられている。
【００５７】
図５（ａ）、（ｂ）及び図６（ｂ）に示すように、この実施例２では、筺体フレーム２の前壁５８は転倒防止台５６のすぐ上の位置まで、下方に延びている。転倒防止台５６の上面の背面側に付設した係止ピン取付耳片５９にワイヤ４０の一端が取り付けられている。
【００５８】
このワイヤ４０は転倒防止台５６の上面に沿って前方に延び、筺体フレーム２の前端側の下部に設けられたプーリー６０、筺体フレーム２の前端側に設けられたプーリー６１及び背面側に設けられたプーリー６２にガイドされて、背面側に戻されて、その先端に重錘４２が吊り下げられている。
【００５９】
なお、この実施例２についても、実施例１と同様に、図示はしないが、ワイヤ４０の一端に、重錘４２の替わりに、付勢手段として、スプリングやダンパ等を利用しても良いことは言うまでもない。
【００６０】
転倒防止台５６の上面の背面側に係止ピン取付耳片５９が付設され、この係止ピン取付耳片５９間に水平な係止ピン６３が架設されている。この係止ピン６３を係止する係合片６４が筺体フレーム２の背面側に取り付けられている。この係合片６２を含む係止機構５２の構成は、実施例１と同じ構成であるので、図６（ａ）でその構成は示すがその詳細な説明は省略する。但し、図６（ａ）に示すように、実施例２の係止機構は、実施例１とは、上下逆向きに配置されている。
【００６１】
さらに、実施例２では、筺体フレーム２の前側壁５から係止ピン６３の下方の高さ位置において、背面側方向に向けて突出する係合突起６５が形成されている。この係合突起６５は、転倒防止台５６が前方に突出された際には係止ピン６３に係合する。
【００６２】
（作用）
以上の構成から成る実施例２の転倒防止装置５４の作用を以下に説明する。実施例２の転倒防止装置５４は、実施例１と同様に転倒防止装置５４の筺体フレーム２の側壁５を、転倒防止すべきキャビネット９等の側面に固定しておく。常時は、図５（ａ）、図６（ｂ）の状態にセットされている。地震その他の原因で振動が生じると、実施例１と同じ振動検出スイッチ３が閉じて、電磁石５０に通電して、作動リンク５１を動作させる。
【００６３】
これにより、図６（ｃ）に示すように、係合片６４を時計針の回転方向にバネの付勢力に抗して回転させ、係止ピン６３を係合用の凹部４５から離脱する。すると、図５（ｂ）、図６（ｄ）に示すように、重錘４２の重力により、ワイヤ４０を介して転倒防止台５６を前方に向けて引っ張り、筺体フレーム２から前方に突出させる。そして、係合突起６５が、係止ピン６３に係合する。
【００６４】
この結果、地震によりキャビネット９等が前方に向けて転倒しようとしても、転倒防止台５６が前方に突出され、しかも筺体フレーム２の係合突起６５が係止ピン６３に係合するために、筺体フレーム２が転倒せず、筺体フレーム２に固定されたキャビネット９等の転倒を防止できる。
【００６５】
以上、本発明に係る転倒防止装置の最良の形態を実施例１及び２に基づいて説明したが、本発明は特にこのような実施例に限定されることなく、特許請求の範囲記載の技術的事項の範囲内でいろいろな実施例があることはいうまでもない。
【産業上の利用可能性】
【００６６】
以上の構成から成る本発明の転倒防止装置は、キャビネット、ロッカー、家具だけでなく、書庫、保管庫、ピアノ、自動販売機等、地震の際に転倒すると危険なあらゆる物の側面に取り付けて使用することが可能である。
【図面の簡単な説明】
【００６７】
【図１】本発明に係る転倒防止装置の実施例１を説明する図であり、（ａ）は正面図であり、（ｂ）は側面図であり、（ｃ）は平面図である。
【図２】（ａ）は実施例１の動作を説明する図であり、（ｂ）、（ｃ）は実施例１の変形例を示す図である。
【図３】実施例１の転倒防止装置に内蔵される振動検出スイッチを説明する図である。
【図４】実施例１の係合機構を説明する図である。
【図５】本発明に係る転倒防止装置１の実施例２を説明する図である。
【図６】本発明に係る転倒防止装置１の実施例２の要部及び作用を説明する図である。
【図７】実施例１おいて、錘部とボックス間にバネを装着した変形例を示す図である。
【符号の説明】
【００６８】
１  転倒防止装置               
２  筺体フレーム               
３  振動検出スイッチ           
４  転倒防止機構               
５  筺体フレームの左右の側壁   
６  筺体フレームの背壁         
７  筺体フレームの頂壁         
８  筺体フレームの前壁         
９  キャビネット               
１０  開口部                  
１１  取付フランジ            
１２  ボックス                
１３  上部水平支持板          
１４  ブラケット              
１５  上部電極                
１６  導電板                  
１７  上部端子                
１８  下部水平支持板          
１９  ブラケット              
２０  下部電極                
２１  下部電極の固定接触子
２１’下部電極のフランジ部      
２２  下部端子                
２３  コイルバネ              
２４  可動接触子              
２５  平板部                  
２６  錘部                    
２７  枢軸                    
２８  アーム                  
２９  枢軸                    
３０  転倒防止杆              
３１  左右側板                
３２  前面板                  
３３  ガイド用の長孔          
３４  ガイドピン              
３５  ハンドル                
３６  化粧板                  
３７  転動輪                  
３８  定置用の傾斜面          
３９  係止ピン                
４０  ワイヤ                  
４１  プーリ                  
４２  重錘                    
４３  係合片                  
４４  係合片のテーパ面        
４５  凹部                    
４６  突出部                  
４７  軸                      
４８  バネ                    
４９  停止ピン                
５０  電磁石                  
５１  作動リンク              
５２  係合機構                
５３  床                      
５４  転倒防止装置            
５５  転倒防止機構            
５６  転倒防止台              
５７  転動輪                  
５８  筺体フレームの前壁    
５９  係止ピン取付耳片        
６０  、６１、６２プーリー    
６３  係止ピン                
６４  係合片                  
６５  係合突起
６６  Ｌ型の長孔のロック用の凹所
６７  Ｌ型の長孔  
６８  バネ            
【図１】
2006158655.tif 000003
【図２】
2006158655.tif 000004
【図３】
2006158655.tif 000005
【図４】
2006158655.tif 000006
【図５】
2006158655.tif 000007
【図６】
2006158655.tif 000008
【図７】
2006158655.tif 000009